(57)【要約】【課題】  ユーザにとって使い勝手のよい入力装置を提供する。【解決手段】  本発明に係る入力装置は、所定の動き画像信号が入力される入力部と、前記入力部に入力された動き画像信号から動き検出を行う動き検出部と、前記動き検出部により検出された動きが所定の動きであった場合に所定の映像信号を出力する映像信号処理部と、制御部とを備え、前記制御部は、前記映像信号処理部により前記所定の映像信号が出力されている場合には、前記動き検出部は動き検出を行わないように前記動き検出部を制御することを特徴とする。【選択図】図１
2010079771.tif 000002
【特許請求の範囲】
【請求項１】
所定の動き画像信号が入力される入力部と、
前記入力部に入力された動き画像信号から動き検出を行う動き検出部と、
前記動き検出部により検出された動きが所定の動きであった場合に所定の映像信号を出力する映像信号処理部と、
制御部とを備え、
前記制御部は、前記映像信号処理部により前記所定の映像信号が出力されている場合には、前記動き検出部は動き検出を行わないように前記動き検出部を制御することを特徴とする入力装置。
【請求項２】
請求項１に記載の入力装置において、
前記制御部は、前記映像信号処理部により前記所定の映像信号が出力されてから所定の期間は、前記動き検出部は動き検出を行わないように前記動き検出部を制御することを特徴とする入力装置。
【請求項３】
請求項１に記載の入力装置において、
前記動き検出部は前記入力部に入力された動き画像信号の動きの速度を検出し、
前記制御部は、前記検出された動きの速度に応じた動きの映像を出力するように前記映像信号処理部を制御することを特徴とする入力装置。
【請求項４】
請求項１に記載の入力装置において、
前記動き検出部は前記入力部に入力された動き画像信号の動きの速度を検出し、
前記制御部は、前記検出された動きの速度の大きさが所定値以上の場合、連続的に映像を出力するように前記映像信号処理部を制御することを特徴とする入力装置。
【請求項５】
所定の動き画像信号が入力される入力部と、
前記入力部に入力された動き画像信号から動き検出を行う動き検出部と、
前記動き検出部により検出された動きが所定の動きであった場合に所定の映像信号を出力する映像信号処理部と、
前記映像信号処理部から出力を表示する表示部と、
制御部とを備え、
前記制御部は、前記映像信号処理部により前記所定の映像信号が出力されている場合には、前記動き検出部は動き検出を行わないように前記動き検出部を制御することを特徴とする表示装置。
【請求項６】
請求項５に記載の表示装置において、
前記制御部は、前記映像信号処理部により前記所定の映像信号が出力されてから所定の期間は、前記動き検出部は動き検出を行わないように前記動き検出部を制御することを特徴とする表示装置。
【請求項７】
請求項５に記載の表示装置において、
前記動き検出部は前記入力部に入力された動き画像信号の動きの速度を検出し、
前記制御部は、前記検出された動きの速度に応じた動きの映像を出力するように前記映像信号処理部を制御することを特徴とする表示装置。
【請求項８】
請求項５に記載の表示装置において、
前記動き検出部は前記入力部に入力された動き画像信号の動きの速度を検出し、
前記制御部は、前記検出された動きの速度の大きさが所定値以上の場合、連続的に映像を出力するように前記映像信号処理部を制御することを特徴とする表示装置。
【請求項９】
所定の動き情報が入力される入力部と、
前記入力部により入力された動きが所定の動き情報であった場合に所定の映像信号を出力する映像信号処理部と、
制御部とを備え、
前記制御部は、前記映像信号処理部により前記所定の映像信号が出力されている場合には、前記入力部は動き情報の入力を行わないように前記動き検出部を制御することを特徴とする入力装置。
【請求項１０】
請求項９に記載の入力装置において、
前記所定の動き情報は、少なくともポインティング情報又は方向を示す情報のいずれか１つを含むことを特徴とする入力装置。
【発明の詳細な説明】
【技術分野】
【０００１】
本発明は、ユーザの指示を入力する入力装置に関する。
【背景技術】
【０００２】
グラフィカルユーザインタフェース（以下、ＧＵＩ）を介してユーザの操作を受け付けると同時にユーザに操作結果のフィードバックを与えるパソコンやテレビが普及している。
【０００３】
たとえば、特許文献１には、人物の手足の動きの特徴を示す点の３次元座標を計測し、抽出された特徴点のうち手以外の特徴点を利用して人物の３次元位置／姿勢を推定し、推定されたユーザの３次元位置を基準点としてユーザ姿勢に応じて各座標軸が一意に定まるユーザ座標系を構成し、ユーザの手足の特徴点を該ユーザ座標系に変換することで、ユーザの位置／姿勢に依存しない特徴量を抽出し、
その時系列変化とジェスチャモデルとのマッチングをとり人物の行なったジェスチャを推定するジェスチャ認識装置が開示される。
【０００４】
【特許文献１】特開２０００−１４９０２５
【発明の開示】
【発明が解決しようとする課題】
【０００５】
しかし、特許文献１に記載のジェスチャ認識装置をテレビ等の機器への入力操作に用いた場合、ユーザを撮像した動画像が、該機器への入力を表すのか否かの区別がすることが難しい。例えば、該機器への入力を示すためユーザが手で右方向を指し、その後で元に位置に手を戻した場合、元の位置に手を戻した動きが左方向を指す入力動作として認識されることがある。つまり、特許文献１では、ユーザがジェスチャを行った際に、動きのどの部分を装置への入力として受け付けるかについての仕組みについては考慮されていない。
【０００６】
さらに、機器やソフトウェアの操作においては、連続入力を行いたいという要望が存在する。例えば、テレビを操作する際に、リモコンの音量調整ボタンを連続して押下することや、チャンネル切換えボタンを連続して押下することである。しかし、特許文献１では、ジェスチャコマンドにより連続して入力する操作を円滑に行わせることは考慮されていない。
【０００７】
そこで、本発明は、かかる事情を考慮した上で、たとえば、ユーザに操作に有効な動作の提示をすると同時にリアルタイムなフィードバックを与え、さらに連続した入力動作が可能であり、ユーザにとって使い勝手の良い入力装置を提供することを目的とする。
【課題を解決するための手段】
【０００８】
本発明に係る入力装置は、所定の動き画像信号が入力される入力部と、前記入力部に入力された動き画像信号から動き検出を行う動き検出部と、前記動き検出部により検出された動きが所定の動きであった場合に所定の映像信号を出力する映像信号処理部と、制御部とを備え、前記制御部は、前記映像信号処理部により前記所定の映像信号が出力されている場合には、前記動き検出部は動き検出を行わないように前記動き検出部を制御することを特徴とする。
【０００９】
たとえば、ユーザが手を振る動作をした後にはユーザの手が手を振る前の位置に戻る動作が行われるが、前記アニメーションが継続しており項目が選択途中の状態ではユーザが手の動きを認識しないことにより、ユーザの手が手を振る前の位置に戻る動きが項目の選択操作として受け付けられないようにする。
【発明の効果】
【００１０】
本発明によると、たとえば、ユーザに操作に有効な動作の提示をすると同時にリアルタイムなフィードバックを与え、さらに連続した入力動作が可能であり、ユーザにとって使い勝手の良い入力装置を提供することができる。
【発明を実施するための最良の形態】
【００１１】
以下、本発明を適用した各実施例について説明する。
【実施例１】
【００１２】
本実施例の入力装置１００は、ユーザを撮像した動画像からユーザの手の動作を検出し、該動作に応じてＧＵＩの表示を変更することが可能な装置である。
図１は、表示部１０１、撮像部１０２、ユーザ１０３、メニュー項目１０４、選択項目１０５、により入力装置１００をユーザが使用する際の動作環境の概観を示す。
【００１３】
表示部１０１は、入力装置１００の表示装置であり、例えば、液晶ディスプレイやプラズマディスプレイ等の表示装置で構成される。表示部１０１は、表示パネルとパネル制御回路とパネル制御ドライバとから構成され、後述する映像処理部２０２から供給されるデータで構成される映像を表示パネルに表示する。撮像部１０２は、入力装置１００に動画像を入力するための装置であり、たとえばカメラである。ユーザ１０３は、入力装置１００に対して操作を行うユーザである。メニュー項目１０４は表示部１０１に表示されるＧＵＩであり、複数の項目で構成されるメニューである。選択項目１０５は該メニュー項目１０４の項目の中でユーザの操作により選択状態となっている項目である。
【００１４】
入力装置１００は、例えば図２に示すように、表示部１０１、撮像部１０２、動作検出(動き検出)部２００、システム制御部２０１、映像処理部２０２、を備える。
【００１５】
動作検出(動き検出)部２００は、撮像部１０２から動画像信号を受信し、受信した動画像信号より人物の動作を検出し、検出した動作を所定のコマンドとして出力する回路である。
【００１６】
システム制御部２０１は例えばマイクロプロセッサから構成され、動作検出(動き検出)部２００から受信したコマンドに応じて、映像表示部２０２の動作を制御する。
【００１７】
映像処理部２０２は、例えば、ＡＳＩＣ、ＦＰＧＡ、ＭＰＵ等の処理装置により構成される。映像処理部２０２は、システム制御部２０１の制御に従いＧＵＩの映像データを、表示部１０１で処理可能な形態に変換して出力する。
【００１８】
図３は、本発明の入力装置をユーザが操作する際のユーザの動作を示す。本発明ではユーザが手を左右に振る操作により、ユーザが手を振った方向や速度に応じてメニュー項目１０４が移動し、ユーザは手を左右に振る操作で任意の項目を選択項目１０５の位置に移動させることにより項目の選択を行うことができる。認識ポイント３０１は該入力装置が認識するユーザの手の位置を示している。手の振り３０２はユーザが該メニュー項目１０４を動かすために手を振った動きを示しており、該入力装置１００に入力されるユーザの操作となる。また、手の戻り３０３はユーザが手の振り３０２のように手を振った後に、ユーザの手が手を振る前の位置に戻る動きを示している。
【００１９】
図４は入力装置１００をユーザが操作する際の、ユーザの手と表示部１０１に表示されるＧＵＩの状態を示している。
【００２０】
次に、上記構成の入力装置１００の動作を図１、図２、図３、図４、及び図５のフローチャートを参照して説明する。
【００２１】
入力装置１００は、ユーザを撮像した動画像信号からユーザの手の動作を検出し、該動作に応じてＧＵＩの表示を変更することが可能な装置である。
【００２２】
先ず、入力装置１００がユーザの手の動きを検出し、該動作に応じてＧＵＩの表示を変更するまでの処理の流れについて、図２を参照して説明する。ユーザが、入力端末１００に対し、図示しない電源ボタンの押下等により、入力端末１００の動作を開始させたとする。システム制御部２０１は前記動作の開始に応答して、映像処理部２０２にＧＵＩの表示を指示する。映像処理部２０２は前記指示に応答して、表示部１０１の入力に適した映像信号を出力する。これにより、表示部１０１にはＧＵＩが表示される。
【００２３】
また、システム制御部２０１は前記動作の開始に応答して、撮像機１０２に対して動画像の撮像の開始を指示する。撮像機１０２は前記指示に応答して、動画像の撮像を開始し、撮像した動画像のデータを動作検出(動き検出)部２００に出力する。動作検出(動き検出)部２００は受信した前記動画像から特徴点抽出などの方法を用いてユーザの手の位置を検出し、該手の位置のデータをシステム制御部２０１に出力する。システム制御部２０１は該手の位置のデータからユーザの手の動きの方向や速度を算出し、予め決められた方向に従い、且つ予め決められた速度以上の手の動きであれば、該方向や該速度に従い映像処理部２０２にＧＵＩの表示の変更を指示する。映像処理部２０２は前記指示に応答して、ＧＵＩを構成するデータを変更し、該データに基づく表示部１０１の入力に適した映像信号を出力する。これにより、表示部１０１に表示されるＧＵＩが更新される。
【００２４】
次に、入力装置１００が、ユーザが手を動かす操作を入力として受け付ける際の動作の詳細を図４及び図５のフローチャートを参照しながら説明する。先ず、ユーザは所定の手順にて入力端末１００の操作を開始する（ステップ５００）。この時のユーザの手と表示部１０１に表示されるＧＵＩの状態の一例を図４の表示１に示す。前記操作の開始を受け、入力端末１００はユーザの手の動きの監視を開始する（ステップ５０１）。
【００２５】
ユーザの手が所定の速度以上の速さで特定の方向に動いた場合（ステップ５０１：Ｙｅｓ）、図４の表示２に示すように、入力端末１００はユーザの手が動いた方向や速度に従いメニュー項目１０４のアニメーションを開始する。一方、ユーザの手が所定の速度以上の速さで動いていない場合（ステップ５０１：Ｎｏ）、入力端末１００はユーザの手の動きの監視を継続する。次に入力装置１００はステップ５０２で開始したアニメーションの動作の継続状態を監視する（ステップ５０３：Ｙｅｓ）。
【００２６】
ここで該アニメーションは所定の時間をかけてメニュー項目１０４の移動を行う構成となっており、入力端末１００は該アニメーションが動作中の場合は、前記ユーザの手の動きの監視を行わない。これにより、図４の表示３に示すように前記アニメーションが動作中はユーザが手の戻り３０３の動作を行った場合も、該動作はメニュー項目１０４の動きに反映されず、手の振り３０２に従った操作が反映された状態となる。
【００２７】
該アニメーションの動作が終わった際には（ステップ５０３：Ｎｏ）、入力装置１００はユーザが操作の終了を指示したかを確認し、操作が継続される場合は（ステップ５０４：Ｎｏ）、再びユーザの手の動きの監視を行う。この時のユーザの手と表示部１０１に表示されるＧＵＩの状態は図４の表示４に示す通り、ユーザの手の位置は手の振り３０２の動きを行う前の位置になり、メニュー項目１０４はユーザが手を動かした方向に従い別の項目が選択された状態となるため、ユーザは再びメニュー項目１０４に対しての操作を開始することができる。また、ステップ５０４において、ユーザが操作の終了を指示した際は（ステップ５０４：Ｙｅｓ）、入力装置１００はユーザの手の動きの監視等の動作を終了する（ステップ５０５）。
【００２８】
このように、入力装置１００は、ユーザが手を動かす方向や速度を認識し、該方向や該速度に応じてメニュー項目１０４をアニメーションさせ、該アニメーションが動いている間はユーザの手の動きを認識しないようにする。これにより、ユーザは、手を振って方向を示した後に手の戻りの動きが認識されることなく手を元の位置に戻すことができるため、手を振るだけの簡単な操作でメニュー項目の選択等の操作を連続して円滑に行うことができる。
【００２９】
また、本実施例では、映像信号処理部により所定の映像信号が出力されている場合には、動作検出(動き検出)部は動作検出(動き検出)を行わないように構成したが、映像信号処理部により所定の映像信号が出力されてから時間を制御部が計測し、この時間が所定値を超えない場合に、動作検出(動き検出)部は動作検出(動き検出)を行わないように動作検出(動き検出)部を制御してもよい。
【００３０】
なお、前記表示部１０１に表示されるＧＵＩは、例えば、図６に示すように、ユーザが手を上下に振る動きで操作できるメニュー構成Ａやメニュー構成Ｂや、ユーザが手を左右に振る動きで操作できるメニュー構成Ｃのような構成でもよい。
【実施例２】
【００３１】
次に、実施例２について説明する。本実施例では、実施例１の入力装置１００において説明した操作方法に加えて、ユーザが手を振る動きが所定の速度以下の場合にもメニュー項目の操作が行えるようにした操作方法について説明する。入力装置１００の構成や表示部１０１に表示するＧＵＩの構成は実施例１と同様であり、ユーザが手を振る動きの認識方法が異なる。
【００３２】
以下、本実施例を図面に基づいて説明する。また、以下において、先の実施例と均等なものには同一の符合を付し、その説明は重複を避ける為に割愛する。
【００３３】
図７は本実施例において入力装置１００をユーザが操作する際の、ユーザの手と表示部１０１に表示されるＧＵＩの状態を示している。ユーザの手の動き７０１、７０２は、後述する入力端末１００の操作において、ユーザが所定の速度以下の速さでゆっくりと手を動かした場合の手の動きを示している。
【００３４】
本実施例の入力装置１００の動作を図７及び図８のフローチャートを参照して説明する。
【００３５】
先ず、ユーザは所定の手順にて入力端末１００の操作を開始する（ステップ８００）。この時のユーザの手と表示部１０１に表示されるＧＵＩの状態の一例を図７の表示１に示す。前記操作の開始を受け、入力端末１００はユーザの手の動きの監視を開始する（ステップ８０１）。ユーザの手が特定の方向に動いている場合は（ステップ８０１：Ｙｅｓ）、ユーザの手の動きの速度を算出する（ステップ８０２）。
【００３６】
この時、ユーザの手の動きが、所定の速度以上の速さではない場合は（ステップ８０２：Ｎｏ）、図７の表示２や表示３に示すようにユーザが手を動かす方向に追従して、ユーザの手が動いた方向と動きの大きさに従いメニュー項目１０４を動かす。一方、ステップ８０２においてユーザの手の動きが所定の速度以上の速さで動いた場合には、前記実施例１と同様の動作となる。
【００３７】
このように、入力装置１００は、ユーザが手を動かす方向や速度を認識し、ユーザの手の動きが所定の速度以下で動いている場合は、ユーザの手の動きの方向や動きの大きさに従いメニュー項目１０４を動かし、ユーザの手の動きが所定の速度以上で動いた場合は、手が動いた方向や該速度に応じてメニュー項目１０４のアニメーションを開始し、該アニメーションが動いている間はユーザの手の動きを認識しないようにする。
【００３８】
これにより、ユーザは、小さな手の動きやゆっくりとした手の動きで入力装置１００にユーザ自身の手の動きが正確に認識されていることを把握することができ、また、ユーザはどの程度の速さの手の動きでメニュー項目１０４の選択項目１０５の変更を行うことができるかを把握することができるため、実施例１の入力装置１００の操作方法や操作の状態をより円滑に把握し、より直感的に操作することできる。
【実施例３】
【００３９】
次に、実施例３について説明する。本実施例では、実施例１の入力装置１００において説明した操作方法に加えて、ユーザが手を振る動きでメニュー項目１０４のアニメーションが開始され、アニメーションが動いている間にユーザが手を動かし続けている場合は、ユーザが手を振る方向に関係なく、前記アニメーションの動きを継続する操作が行えるようにした操作方法について説明する。入力装置１００の構成や表示部１０１に表示するＧＵＩの構成は実施例１と同様であり、ユーザが手を振る動きの認識方法が異なる。
【００４０】
以下、本実施例を図面に基づいて説明する。また、以下において、先の実施例と均等なものには同一の符合を付し、その説明は重複を避ける為に割愛する。
【００４１】
図９は本実施例において入力装置１００をユーザが操作する際の、ユーザの手と表示部１０１に表示されるＧＵＩの状態を示している。ユーザの手の動き９００は、図９の表示２においてユーザが手を振る動きでメニュー項目１０４のアニメーションが開始された後に、ユーザが継続して手を振り続けた際の手の動きを示している。
【００４２】
本実施例の入力装置１００の動作を図９及び図１０のフローチャートを参照して説明する。
【００４３】
先ず、ユーザは所定の手順にて入力端末１００の操作を開始する（ステップ１０００）。この時のユーザの手と表示部１０１に表示されるＧＵＩの状態の一例を図９の表示１に示す。前記操作の開始を受け、入力端末１００はユーザの手の動きの監視を開始する（ステップ１００１）。ユーザの手が所定の速度以上の速さで特定の方向に動いた場合（ステップ１００１：Ｙｅｓ）、図９の表示２に示すように、入力端末１００はユーザの手が動いた方向や速度に従いメニュー項目１０４のアニメーションを開始する。
【００４４】
さらに、入力端末１００はユーザの手の動きの監視を継続し（ステップ１００３）、ユーザの手が所定の速度以上の速さで動き続けている場合は（ステップ１００３：Ｙｅｓ）、ユーザの手の動きの方向に関係なく、前記アニメーションを継続する。この時、該アニメーションは、図９の表示３に示すように、メニュー項目１０４の選択項目１０５が前記アニメーションを開始する際に認識した始めの手の動きに従って、連続して次の項目が選択されるように動作する。一方、ステップ１００３においてユーザの手の動きが所定の速度以上の速さで動き続けていない場合には、前記実施例１と同様の動作となる。
【００４５】
このように、入力装置１００は、ユーザが手を動かす方向や速度を認識し、ユーザの手の動きが所定の速度以上で動いた場合は、手が動いた方向や該速度に応じてメニュー項目１０４のアニメーションを開始し、これに続いてユーザの手が所定の速度以上で動き続けている場合は、メニュー項目１０４が同じ方向にアニメーションを続け、選択項目１０５が次々と変わるように動作する。
【００４６】
これにより、ユーザは、連続したメニュー項目の選択を行う場合は、はじめにメニュー項目を動かす方向に手を振り、その後は手を振る方向に関係なく手を動かし続けるだけで次々と項目を選択することができるため、より円滑に連続したメニュー項目の選択を行うことができる。
【実施例４】
【００４７】
次に、実施例４について説明する。本実施例では、実施例１の入力装置１００において、マウスやタッチパッドなどのいわゆるポインティングデバイスや加速度センサ等のセンサデバイスを介した入力が可能な場合に、実施例１と同等の操作方法を実現する入力装置について説明する。
【００４８】
以下、本実施例を図面に基づいて説明する。また、以下において、先の実施例と均等なものには同一の符合を付し、その説明は重複を避ける為に割愛する
実施例４の入力装置２００は、マウスやタッチパッドなどのいわゆるポインティングデバイスや加速度センサ等のセンサデバイス介した入力が可能であり、図１１に示すように、入力部１１００によりシステム制御部２０２に動き情報(ポインティング情報や方向を示す情報)が入力される構成となっている。
【００４９】
また、図１２は本実施例において入力装置１００をユーザが操作する際の、入力部１１００から得られる入力結果の状態と表示部１０１に表示されるＧＵＩの状態を示している。カーソル１２００は該入力結果に基づき画面上の特定の座標の位置が示されるカーソルである。本実施例では、該カーソル１２００の動きを、実施例１におけるユーザの手の動きと同等に扱うことにより、ユーザは実施例１と同様の操作を行うことができる。また、入力部１１００が加速度センサ等のセンサデバイスで構成される場合は、カーソル１２００が表示部１０１に表示されることなく、該センサデバイスの出力情報を、実施例１におけるユーザの手の動きの情報と同等に扱うことにより、ユーザは実施例１と同様の操作を行うことができる。
【００５０】
これにより、本実施例の入力装置１００は、入力装置１００が前記撮像部１０２等の入力手段を有さない場合も、ユーザは実施例１と同様の方法により、従来のポインティング操作のような細かい操作を必要とせず、入力部１１００に特定の方向に対する大きな動きを入力するだけで、円滑にメニュー項目を選択する操作を行うことができる。
【図面の簡単な説明】
【００５１】
【図１】実施例１の入力装置を示す概観図である。
【図２】実施例１の入力装置の構成を示すブロック図である。
【図３】実施例１の入力装置のユーザの操作方法を示す概観図である。
【図４】実施例１のＧＵＩの動きとユーザの操作の対応を説明する概観図である。
【図５】実施例１の入力装置の動作を説明する流れ図である。
【図６】実施例１のＧＵＩの構成を示す概観図である。
【図７】実施例２のＧＵＩの動きとユーザの操作の対応を説明する概観図である。
【図８】実施例２の入力装置の動作を説明する流れ図である。
【図９】実施例３のＧＵＩの動きとユーザの操作の対応を説明する概観図である。
【図１０】実施例３の入力装置の動作を説明する流れ図である。
【図１１】実施例４の入力装置の構成を示すブロック図である。
【図１２】実施例４のＧＵＩの動きとポインタの動作の対応を説明する概観図である。
【符号の説明】
【００５２】
１００・・・入力装置、
１０１・・・表示部、
１０２・・・撮像部、
１０３・・・ユーザ、
１０４・・・メニュー項目、
１０５・・・選択項目、
２００・・・動作検出（動き検出）部、
２０１・・・システム制御部、
２０２・・・映像処理部、
３０１・・・認識ポイント、
３０２・・・手の振り、
３０３・・・手の戻り、
７０１・・・手の動き、
７０２・・・手の動き、
９００・・・手の動き、
１１００・・・入力部、
１２００・・・カーソル、
【図１】
2010079771.tif 000003
【図２】
2010079771.tif 000004
【図３】
2010079771.tif 000005
【図４】
2010079771.tif 000006
【図５】
2010079771.tif 000007
【図６】
2010079771.tif 000008
【図７】
2010079771.tif 000009
【図８】
2010079771.tif 000010
【図９】
2010079771.tif 000011
【図１０】
2010079771.tif 000012
【図１１】
2010079771.tif 000013
【図１２】
2010079771.tif 000014
【手続補正書】
【提出日】平成21年3月19日(2009.3.19)
【手続補正１】
【補正対象書類名】特許請求の範囲
【補正対象項目名】全文
【補正方法】変更
【補正の内容】
【特許請求の範囲】
【請求項１】
所定の動き画像信号が入力される入力部と、
前記入力部に入力された動き画像信号から動き検出を行う動き検出部と、
前記動き検出部により検出された動きが所定の動きであった場合に所定の映像信号を出
力する映像信号処理部と、
前記動き検出部で検出される所定の動き以降の動きが、繰り返しの動きであり、所定の速度以上の速さで動き続けている場合は、前記所定の映像信号の出力を継続させるように前記映像信号処理部を制御する制御部とを備えることを特徴とする入力装置。
【請求項２】
請求項１に記載の入力装置において、
前記制御部は、前記動きが、所定の速度以上の速さで動き続けなくなった場合には、前記映像信号処理部により前記所定の映像信号が出力されている間、前記動き検出部が動き検出を行わないように前記動き検出部を制御することを特徴とする入力装置。
【請求項３】
請求項２に記載の入力装置において、
前記制御部は、前記映像信号処理部により前記所定の映像信号が出力されてから所定の
期間は、前記動き検出部は動き検出を行わないように前記動き検出部を制御することを特
徴とする入力装置。
【請求項４】
請求項２に記載の入力装置において、
前記動き検出部は前記入力部に入力された動き画像信号の動きの速度を検出し、
前記制御部は、前記検出された動きの速度に応じた動きの映像を出力するように前記映像信号処理部を制御することを特徴とする入力装置。
【請求項５】
所定の動き情報が入力される入力部と、
前記入力部により入力された動きが所定の動き情報であった場合に所定の映像信号を出力する映像信号処理部と、
前記入力部で入力される所定の動き情報以降の動き情報が、繰り返しの動きであり、所定の速度以上の速さで動き続けている情報である場合は、前記所定の映像信号の出力を継続させるように前記映像信号処理部を制御する制御部とを備えることを特徴とする入力装置。
【請求項６】
請求項５に記載の入力装置において、
前記制御部は、前記動き情報が、所定の速度以上の速さで動き続けなくなる情報である場合には、前記映像信号処理部により前記所定の映像信号が出力されている間、前記入力部が動き情報の入力を行わないように前記入力部を制御することを特徴とする入力装置。
【請求項７】
請求項６に記載の入力装置において、
前記所定の動き情報は、少なくともポインティング情報又は方向を示す情報のいずれか
１つを含むことを特徴とする入力装置。
【手続補正３】
【補正対象書類名】明細書
【補正対象項目名】０００８
【補正方法】変更
【補正の内容】
【０００８】
本発明に係る入力装置は、所定の動き画像信号が入力される入力部と、前記入力部に入力された動き画像信号から動き検出を行う動き検出部と、前記動き検出部により検出された動きが所定の動きであった場合に所定の映像信号を出力する映像信号処理部と、前記動き検出部で検出される所定の動き以降の動きが、繰り返しの動きであり、所定の速度以上の速さで動き続けている場合は、前記所定の映像信号の出力を継続させるように前記映像信号処理部を制御する制御部とを備えることを特徴とする。
さらに、前記制御部は、前記動きが、所定の速度以上の速さで動き続けなくなった場合には、前記映像信号処理部により前記所定の映像信号が出力されている間、前記動き検出部が動き検出を行わないように前記動き検出部を制御することを特徴とする。